【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示させる可変表示装置を備え、該可変表示装置の表示結果が予め定められた特定の識別情報の組合せとなったときに遊技者にとって有利な特定遊技状態に制御する遊技機であって、
前記可変表示装置の表示結果を前記特定の識別情報の組合せとするか否かを決定するための数値情報を抽出する第１数値情報抽出手段と、
前記複数種類の識別情報が可変開始してから表示結果が導出表示されるまでの可変表示時間を決定するための数値情報を抽出する第２数値情報抽出手段と、
前記第１数値情報抽出手段によって抽出された数値情報を用いて前記可変表示装置の表示結果を前記特定の識別情報の組合せとするか否かを決定する表示結果決定手段と、
前記第２数値情報抽出手段によって抽出された数値情報を用いて前記可変表示時間を決定する可変表示時間決定手段と、
前記表示結果決定手段によって前記可変表示装置の表示結果を前記特定の識別情報の組合せとすることが決定されたときに、前記可変表示装置の表示結果を導出表示させる可変表示ゲームにおいて当該決定がされたことの予告を実行するか否かを決定する予告決定手段と、
前記表示結果決定手段によって前記可変表示装置の表示結果を前記特定の識別情報の組合せとしないことが決定されたときに、前記可変表示ゲームにおいて前記予告を実行することを所定の割合で決定する偽予告決定手段と、
前記識別情報とは異なる所定画像を用いて前記予告を実行するための予告表示態様として、
所定の第１表示パターンの後に該第１表示パターンとは異なる第２表示パターンに移行する発展型予告表示態様と、
前記第１表示パターンの後に前記第２表示パターンに移行しない非発展型予告表示態様と、
の少なくとも２種類の予告表示態様を規定したデータを記憶する予告表示態様記憶手段と、
前記予告決定手段によって前記予告を実行することが決定されたときに、前記予告表示態様記憶手段に記憶されているデータによって規定された予告表示態様のうちから前記予告に用いる予告表示態様を選択する予告表示態様選択手段と、
前記可変表示ゲームにおいて前記予告を実行するタイミングとして、所定の第１タイミングと、該第１タイミングよりも遅い第２タイミングとの少なくとも２種類のタイミングを規定するタイミングデータを記憶するタイミングデータ記憶手段と、
前記予告決定手段または前記偽予告決定手段によって前記予告を実行することが決定されたときに、前記タイミングデータ記憶手段に記憶されているデータによって規定されたタイミングのうちから前記予告を実行するタイミングを選択するタイミング選択手段と、
前記所定画像として表示する複数種類のキャラクターのデータが記憶されているキャラクター記憶手段と、
該キャラクター記憶手段に記憶されているデータのうちから、前記所定画像として表示するキャラクターを選択するキャラクター選択手段と、
前記可変表示ゲームにおいて、前記複数種類の識別情報を可変開始させ、前記予告表示態様選択手段および前記タイミング選択手段の選択に従って前記予告を実行した後、前記可変表示時間決定手段の決定に基づいた可変表示時間経過後に前記表示結果決定手段の決定に従って可変表示装置の表示結果を導出表示させる可変表示制御手段とを含み、
該可変表示制御手段による前記予告の実行パターンには、前記第１タイミングで予告有かつ前記第２タイミングで予告無、前記第１タイミングで予告無かつ前記第２タイミングで予告有、の２つのパターンが少なくとも含まれ、
前記タイミング選択手段は、前記予告決定手段が前記予告を実行すると決定したときは前記第１タイミングよりも前記第２タイミングで前記予告が行なわれる割合が高く、前記偽予告決定手段が前記予告を実行すると決定したときは前記第２タイミングよりも前記第１タイミングで前記予告が行なわれる割合が高くなるように、前記予告を実行するタイミングを選択し、
前記キャラクター選択手段は、前記タイミング選択手段によって前記予告を実行するタイミングとして前記第１タイミングが選択されたときと前記第２タイミングが選択されたときとで相異なるキャラクターを選択し、
前記表示結果決定手段および前記可変表示時間決定手段を含む遊技制御基板と、
前記タイミング選択手段および前記可変表示制御手段を含む表示制御基板とをさらに含み、
前記表示制御基板は、
前記予告を実行するタイミングの種類を選択するためのタイミング用数値情報を抽出するタイミング用数値情報抽出手段と、
前記タイミング用数値情報と前記第１および第２タイミングを含む複数種類のタイミングの各々との対応関係を定義したタイミング用テーブルであって、前記第１タイミングに割り当てられたタイミング用数値情報の数と前記第２タイミングに割り当てられたタイミング用数値情報の数とが相異なるタイミング用テーブルを複数記憶するタイミング用テーブル記憶手段とをさらに含み、
前記遊技制御基板は、前記表示制御基板に前記可変表示時間決定手段の決定結果を特定可能な可変表示時間コマンドを送信し、
前記タイミング選択手段は、前記可変表示時間コマンドに基づいて、前記タイミング用テーブル記憶手段からいずれかのタイミング用テーブルを選択するとともに、前記タイミング用数値情報抽出手段が抽出したタイミング用数値情報と、前記タイミング用テーブルに定義されたタイミング用数値情報とを比較して、前記予告を実行するタイミングを選択することを特徴とする、遊技機。
【手続補正２】
【補正対象書類名】明細書
【補正対象項目名】０００６
【補正方法】変更
【補正の内容】
【０００６】
（１）  各々を識別可能な複数種類の識別情報（特別図柄）を可変表示させる可変表示装置（可変表示装置８）を備え、該可変表示装置の表示結果が予め定められた特定の識別情報の組合せ（たとえば「７７７」等のゾロ目）となったときに遊技者にとって有利な特定遊技状態（大当り状態）に制御する遊技機（パチンコ遊技機１）であって、
前記可変表示装置の表示結果を前記特定の識別情報の組合せとするか否かを決定するための数値情報を抽出する第１数値情報抽出手段と、
前記複数種類の識別情報が可変開始してから表示結果が導出表示されるまでの可変表示時間を決定するための数値情報を抽出する第２数値情報抽出手段と、
前記第１数値情報抽出手段によって抽出された数値情報を用いて前記可変表示装置の表示結果を前記特定の識別情報の組合せとするか否かを決定する表示結果決定手段（遊技制御用マイクロコンピュータ５３、図１５のＳ５５）と、
前記第２数値情報抽出手段によって抽出された数値情報を用いて前記可変表示時間を決定する可変表示時間決定手段と、
前記表示結果決定手段によって前記可変表示装置の表示結果を前記特定の識別情報の組合せとすることが決定されたときに、前記可変表示装置の表示結果を導出表示させる可変表示ゲームにおいて当該決定がされたことの予告を実行するか否かを決定する予告決定手段（表示制御用マイクロコンピュータ８１、図２９のＳｕｂ５６、Ｓｕｂ５７）と、
前記表示結果決定手段（遊技制御用マイクロコンピュータ５３、図１５のＳ５５）によって前記可変表示装置（可変表示装置８）の表示結果を前記特定の識別情報の組合せ（たとえば「７７７」等のゾロ目）としないことが決定されたときに、前記可変表示ゲームにおいて前記予告を実行することを所定の割合で決定する偽予告決定手段（表示制御用マイクロコンピュータ８１、図２９のＳｕｂ５４，Ｓｕｂ５６，Ｓｕｂ５７、図１０の（Ｃ）はずれ用予告決定テーブル）と、
前記識別情報とは異なる所定画像を用いて前記予告を実行するための予告表示態様として、
所定の第１表示パターン（図４の（Ａ−２）〜（Ａ−４），図５の（Ｂ−２）〜（Ｂ−４）、図６の（Ｃ−２），（Ｃ−３）、図７の（Ｄ−２），（Ｄ−３））の後に該第１表示パターンとは異なる第２表示パターン（図６の（Ｃ−４）、図７の（Ｄ−４））に移行する発展型予告表示態様（図６、図７参照）と、
前記第１表示パターンの後に前記第２表示パターンに移行しない非発展型予告表示態様（図４、図５参照）と、
の少なくとも２種類の予告表示態様を規定したデータを記憶する予告表示態様記憶手段（キャラクターＲＯＭ８６、制御データＲＯＭ１０２）と、
前記予告決定手段によって前記予告を実行することが決定されたときに、前記予告表示態様記憶手段に記憶されているデータによって規定された予告表示態様のうちから前記予告に用いる予告表示態様を選択する予告表示態様選択手段（表示制御用マイクロコンピュータ８１、図２９のＳｕｂ５８，Ｓｕｂ５９）と、
前記可変表示ゲームにおいて前記予告を実行するタイミングとして、所定の第１タイミングと、該第１タイミングよりも遅い第２タイミングとの少なくとも２種類のタイミング（図８参照）を規定するタイミングデータを記憶するタイミングデータ記憶手段（制御データＲＯＭ１０２）と、
前記予告決定手段または前記偽予告決定手段によって前記予告を実行することが決定されたときに、前記タイミングデータ記憶手段に記憶されているデータによって規定されたタイミングのうちから前記予告を実行するタイミングを選択するタイミング選択手段（表示制御用マイクロコンピュータ８１、図２９のＳｕｂ６０，Ｓｕｂ６１）と、
前記所定画像として表示する複数種類のキャラクターのデータが記憶されているキャラクター記憶手段と、
該キャラクター記憶手段に記憶されているデータのうちから、前記所定画像として表示するキャラクターを選択するキャラクター選択手段と、
前記可変表示ゲームにおいて、前記複数種類の識別情報を可変開始させ、前記予告表示態様選択手段および前記タイミング選択手段の選択に従って前記予告を実行した後、前記可変表示時間決定手段の決定に基づいた可変表示時間経過後に前記表示結果決定手段の決定に従って可変表示装置の表示結果を導出表示させる可変表示制御手段（表示制御用マイクロコンピュータ８１、図３０、図３１、図３２）とを含み、
該可変表示制御手段による前記予告の実行パターンには、前記第１タイミングで予告有かつ前記第２タイミングで予告無、前記第１タイミングで予告無かつ前記第２タイミングで予告有、の２つのパターンが少なくとも含まれ、
前記タイミング選択手段は、前記予告決定手段が前記予告を実行すると決定したときは前記第１タイミングよりも前記第２タイミングで前記予告が行なわれる割合が高く、前記偽予告決定手段が前記予告を実行すると決定したときは前記第２タイミングよりも前記第１タイミングで前記予告が行なわれる割合が高くなるように、前記予告を実行するタイミングを選択し、
前記キャラクター選択手段は、前記タイミング選択手段によって前記予告を実行するタイミングとして前記第１タイミングが選択されたときと前記第２タイミングが選択されたときとで相異なるキャラクターを選択し、
前記表示結果決定手段および前記可変表示時間決定手段を含む遊技制御基板と、
前記タイミング選択手段および前記可変表示制御手段を含む表示制御基板とをさらに含み、
前記表示制御基板は、
前記予告を実行するタイミングの種類を選択するためのタイミング用数値情報（タイミング決定用乱数値）を抽出するタイミング用数値情報抽出手段（表示制御用マイクロコンピュータ８１、図２９のＳｕｂ６０）と、
前記タイミング用数値情報と前記第１および第２タイミングを含む複数種類のタイミングの各々との対応関係を定義したタイミング用テーブル（図１０の（Ｅ）タイミング決定テーブル）であって、前記第１タイミングに割り当てられたタイミング用数値情報の数と前記第２タイミングに割り当てられたタイミング用数値情報の数とが相異なるタイミング用テーブル（図１０の（Ｅ）大当り用タイミング決定テーブル、はずれ用タイミング決定テーブル）を複数記憶するタイミング用テーブル記憶手段（制御データＲＯＭ１０２）とをさらに含み、
前記遊技制御基板は、前記表示制御基板に前記可変表示時間決定手段の決定結果を特定可能な可変表示時間コマンドを送信し、
前記タイミング選択手段（表示制御用マイクロコンピュータ８１、図２９のＳｕｂ６０，Ｓｕｂ６１）は、前記可変表示時間コマンドに基づいて、前記タイミング用テーブル記憶手段からいずれかのタイミング用テーブルを選択するとともに、前記タイミング用数値情報抽出手段が抽出したタイミング用数値情報と、前記タイミング用テーブルに定義されたタイミング用数値情報とを比較して、前記予告を実行するタイミングを選択する（図２９のＳｕｂ６１）。
【手続補正３】
【補正対象書類名】明細書
【補正対象項目名】０００７
【補正方法】変更
【補正の内容】
【０００７】
このような構成によれば、異なるタイミングで予告が実行されるため、第１タイミングで予告が実行されなかったときでも、第２タイミングで予告が開始されるのではないかと遊技者の期待感を持続させることができる。
さらに、表示結果決定手段により可変表示装置の表示結果を特定の識別情報の組合せとしないことが決定されたときにも予告をするため、予告の発生頻度が高くなり、遊技者の期待感を向上させることができる。また、予告が開始されるタイミングによって可変表示装置の表示結果が特定の識別情報の組合せとなることの信頼度が異なるため、予告が開始されるタイミングによって特定の識別情報の組合せに対する遊技者の期待感を向上させることができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】